(57)【特許請求の範囲】
【請求項１】
連通用開口部を備えたポンプ部と、
第１接続管、第２接続管および第３接続管を備えた三方継手部を含むジョイント部と、
前記ジョイント部の第１接続管に接続可能な吸入管と、
前記ジョイント部の第２接続管に接続可能な排出管と、を備え、
前記ポンプ部の連通用開口部に、前記ジョイント部の第３接続管が接続可能となされ、
前記ポンプ部の定常状態での内容量から、前記ポンプ部を一押しした状態のポンプ部の内容量を減算した値が、相互に接続された状態の第１接続管および吸入管で形成される吸入側管部の内容量と、相互に接続された状態の第２接続管および排出管で形成される排出側管部の内容量との合計値よりも大きく、
前記排出管の内径は、前記吸入管の内径より大きく、
前記排出管の先端部の排出口の内径は、前記排出管の長さ方向の中間部の内径よりも小さく、
弁を備えていないことを特徴とするサイフォンポンプ。
【請求項２】
連通用開口部を備えたポンプ部と、
第１接続管、第２接続管および第３接続管を備えた三方継手部を含むジョイント部と、
吸入管と、
排出管と、を備え、
前記ジョイント部の第１接続管に前記吸入管が接続され、前記ジョイント部の第２接続管に前記排出管が接続され、前記ポンプ部の連通用開口部に前記ジョイント部の第３接続管が接続されてなり、
前記ポンプ部の定常状態での内容量から、前記ポンプ部を一押しした状態のポンプ部の内容量を減算した値が、前記相互に接続された状態の第１接続管および吸入管で形成される吸入側管部の内容量と、前記相互に接続された状態の第２接続管および排出管で形成される排出側管部の内容量との合計値よりも大きく、
前記排出管の内径は、前記吸入管の内径より大きく、
前記排出管の先端部の排出口の内径は、前記排出管の長さ方向の中間部の内径よりも小さく、
弁を備えていないことを特徴とするサイフォンポンプ。
【請求項３】
前記排出管の先端部の排出口の内径は、前記吸入管の先端部の吸入口の内径と同等または該内径より小さい請求項１または２に記載のサイフォンポンプ。
【請求項４】
前記第３接続管の軸線方向の一端側の端面に前記第１接続管の軸線方向の一端側の端面が連通状態に接合されると共に、前記第３接続管の軸線方向の前記一端側の周側壁における前記第１接続管の接合位置の近傍領域に前記第２接続管の軸線方向の一端側の端面が連通状態に接合されている請求項１〜３のいずれか１項に記載のサイフォンポンプ。
【発明の詳細な説明】
【技術分野】
【０００１】
本発明は、観賞魚用水槽等の水槽内の水を取り出すとき等に使用されるサイフォンポンプに関する。
【０００２】
なお、本明細書及び特許請求の範囲において、「一押し（ワンプッシュ）」の語は、ポンプ部の対向する構成壁を両側から指でつかんで（挟んで）対向する構成壁が接する状態になるまで一回押し込むことを意味する。
【背景技術】
【０００３】
観賞魚用水槽等の水槽内の水が汚れてきた時などに水槽水を新たな水に交換する際には、水槽水の一部又は全部の取り出しを行う。この水槽水の取り出しにはサイフォンポンプが使用されることが多い。このようなサイフォンポンプとしては、上端部に通気口を備えた把握部（ポンプ部）と、把握部に連結され上端部付近に逆止弁を備えた吸入管と、把握部及び吸入管に連通し上端部付近に逆止弁を備えた排出管とで構成された簡易サイフォンポンプが公知である（特許文献１）。
【０００４】
上記サイフォンポンプは、把握部（ポンプ部）を押圧、開放する動作を繰り返すと吸入管から液体が吸い上げられ、排出管から排出されるが、吸入管から吸い上げられる液体の液面が排出管の排出口よりも高い位置にある場合には、サイフォンの原理で、一旦液体が流れ出すとその後は把握部（ポンプ部）を操作しなくても連続的に液体が排出管から流れ出すようになる（特許文献１の段落０００３）。液体の排出を停止しようとするときは、把握部の上部に配設された吸気口を開放すればよい（特許文献１の段落０００４）。
【先行技術文献】
【特許文献】
【０００５】
【特許文献１】特開平１０−１５９８００号公報
【発明の概要】
【発明が解決しようとする課題】
【０００６】
しかしながら、上記従来のサイフォンポンプでは、吸入管の上端部付近に逆止弁が設けられると共に排出管の上端部付近にも逆止弁が設けられた構成であるので、故障しやすいという問題があった。即ち、例えば、サイフォンポンプを用いて観賞魚用水槽等の水槽内の水を吸い出す際には、魚の糞、餌の残り、植物片、ゴミ等を吸い込んでしまう場合も多いが、これらが逆止弁と管部との間に詰まったり、逆止弁に絡まったり等することにより、故障しやすいという問題があった。
【０００７】
本発明は、かかる技術的背景に鑑みてなされたものであって、ポンプ部を一押しして戻すだけでサイフォンの原理により吸入管から連続的に水等の液体を吸入して排出管から連続的に水等の液体を排出することができると共に、故障を生じ難いサイフォンポンプを提供することを目的とする。
【課題を解決するための手段】
【０００８】
前記目的を達成するために、本発明は以下の手段を提供する。
【０００９】
［１］連通用開口部を備えたポンプ部と、
第１接続管、第２接続管および第３接続管を備えた三方継手部を含むジョイント部と、
前記ジョイント部の第１接続管に接続可能な吸入管と、
前記ジョイント部の第２接続管に接続可能な排出管と、を備え、
前記ポンプ部の連通用開口部に、前記ジョイント部の第３接続管が接続可能となされ、
前記ポンプ部の定常状態での内容量から、前記ポンプ部を一押しした状態のポンプ部の内容量を減算した値が、相互に接続された状態の第１接続管および吸入管で形成される吸入側管部の内容量と、相互に接続された状態の第２接続管および排出管で形成される排出側管部の内容量との合計値よりも大きく、
弁を備えていないことを特徴とするサイフォンポンプ。
【００１０】
［２］連通用開口部を備えたポンプ部と、
第１接続管、第２接続管および第３接続管を備えた三方継手部を含むジョイント部と、
吸入管と、
排出管と、を備え、
前記ジョイント部の第１接続管に前記吸入管が接続され、前記ジョイント部の第２接続管に前記排出管が接続され、前記ポンプ部の連通用開口部に前記ジョイント部の第３接続管が接続されてなり、
前記ポンプ部の定常状態での内容量から、前記ポンプ部を一押しした状態のポンプ部の内容量を減算した値が、前記相互に接続された状態の第１接続管および吸入管で形成される吸入側管部の内容量と、前記相互に接続された状態の第２接続管および排出管で形成される排出側管部の内容量との合計値よりも大きく、
弁を備えていないことを特徴とするサイフォンポンプ。
【００１１】
［３］前記排出管の内径は、前記吸入管の内径より大きい前項１または２に記載のサイフォンポンプ。
【００１２】
［４］前記排出管の先端部の排出口の内径は、前記吸入管の先端部の吸入口の内径と同等または該内径より小さい前項１〜３のいずれか１項に記載のサイフォンポンプ。
【００１３】
［５］前記排出管の先端部の排出口の内径は、前記排出管の長さ方向の中間部の内径よりも小さい前項１〜４のいずれか１項に記載のサイフォンポンプ。
【００１４】
［６］前記第３接続管の軸線方向の一端側の端面に前記第１接続管の軸線方向の一端側の端面が連通状態に接合されると共に、前記第３接続管の軸線方向の前記一端側の周側壁における前記第１接続管の接合位置の近傍領域に前記第２接続管の軸線方向の一端側の端面が連通状態に接合されている前項１〜５のいずれか１項に記載のサイフォンポンプ。
【発明の効果】
【００１５】
［１］及び［２］の発明では、ポンプ部の定常状態での内容量から、ポンプ部を一押しした状態のポンプ部の内容量を減算した値（ポンプ部のワンプッシュでの内容量の変化量）が、相互に接続された状態の第１接続管および吸入管で形成される吸入側管部の内容量と、相互に接続された状態の第２接続管および排出管で形成される排出側管部の内容量との合計値よりも大きく設計されているから、ポンプ部を一押しして戻す操作を行うだけで、サイフォンの原理により吸入管から連続的に水等の液体を吸入してジョイント部を介して排出管から連続的に水等の液体を排出することができる。操作方法の一例を挙げると、排出管の先端の排出口を指で押さえて密封した状態で、ポンプ部の側壁を両側から指でつかんで対向する側壁が接する状態になるまで押し込み、この状態で吸入管の先端の吸入口を水槽内の水中に配置せしめた後、指によるポンプの押し込み状態を解除すると（ポンプを図１に示す元の形状に戻すと）（図１０参照）、吸入管の吸入口から水が吸い上げられていき、吸入管、ジョイント部および排出管が水で満たされた後に、排出口を押さえていた指を離して排出口を開放すると、この後はサイフォンの原理により水槽内の水が、自動的に吸入管、ジョイント部、排出管を通過して排出管の排出口から排出される。この操作方法によれば、ポンプによる水の吸い上げ開始時に水をまき上げることもない。
【００１６】
また、本発明のサイフォンポンプは、弁（逆止弁等）を備えていない構成であるので、魚の糞、餌の残り、植物片、ゴミ等が途中で詰まるようなことも殆どなく、故障を生じ難いという利点がある。なお、本発明のサイフォンポンプは、ポンプ部を「一押し」して戻すだけでサイフォンの原理が働くので、従来のような弁（逆止弁等）は不要である。
【００１７】
更に、弁（逆止弁等）を備えていない構成であることにより、部品点数が少なくなり経済的であるし、製作も容易になって生産性を向上できる。
【００１８】
加えて、ポンプ部、ジョイント部、吸入管および排出管の少なくとも４部材で構成されており、サイフォンポンプの内部が汚れてきた際には、例えば前記４部材に容易に分解できて各部材の内部を容易に洗浄することができる。
【００１９】
［３］の発明では、排出管の内径（排出管における長さ方向の先端部を除く部分の内径）は、吸入管の内径（吸入管における長さ方向の先端部を除く部分の内径）より大きい構成であるので、ジョイント部の分岐から内径の大きい排出管内に水を引き込みやすくなり、排出管からの排水がよりスムーズになると共に、吸入管の内径を相対的に小さく設計することで、ポンプ部を一押しして戻す操作を行うだけでサイフォンの原理により連続的排水をスタートさせるための構成条件（ポンプ部のワンプッシュでの内容量の変化量が、前記吸入側管部の内容量と前記排出側管部の内容量との合計値よりも大きい設計）を容易に達成できる。即ち、ポンプ部の大きさを大きくせざるを得ない事態を回避できて、よりコンパクトなサイフォンポンプを提供できる利点がある。
【００２０】
［４］の発明では、排出管の先端部の排出口の内径は、吸入管の先端部の吸入口の内径と同等または該内径より小さい構成であるので、水等の液体の安定した連続的排出を確実に実現できる。
【００２１】
［５］の発明では、排出管の先端部の排出口の内径は、排出管の長さ方向の中間部（排出管における長さ方向の両端部を除く部分）の内径よりも小さい構成であり、このように排出口の内径を小さく設計することにより、排出口からの水等の液体の排出中に空気が排出管の中に入ることを十分に防止できて、水等の液体の安定した連続的排出を実現できる。なお、排出口から排出管の中に多くの空気が入ってしまうと、サイフォンの原理による作用が発揮されなくなって液体の連続的排出が停止しやすい。
【００２２】
［６］の発明では、第３接続管に対する第１接続管の接合位置（継手位置）と、第３接続管に対する第１接続管の接合位置（継手位置）とが近接している構成であるので（図４、５参照）、サイフォンの原理による作用がよりスムーズに発揮される。
【図面の簡単な説明】
【００２３】
【図１】本発明に係るサイフォンポンプの一実施形態を示す正面図である。
【図２】図１のサイフォンポンプにおけるポンプ部、ジョイント部及びその近傍を示す縦断面図である。
【図３】ポンプ部の縦断面図である。
【図４】ジョイント部を示す正面図である。
【図５】ジョイント部の縦断面図である。
【図６】吸入管を示す正面図である。
【図７】排出管を示す正面図である。
【図８】縮径用先端部材を示す正面図である。
【図９】図８におけるＹ−Ｙ線の断面図である。
【図１０】サイフォンポンプの使用例の一例を示す説明図（指によるポンプ部の押し込み状態を解除した直後の状態を示す図）である。
【図１１】サイフォンポンプの使用例の他の例を示す説明図（指によるポンプ部の押し込み状態を解除した直後の状態を示す図）である。
【発明を実施するための形態】
【００２４】
本発明に係るサイフォンポンプ（液体ポンプ）１は、ポンプ部２と、ジョイント部３と、吸入管４と、排出管５と、を備えている。
【００２５】
前記ポンプ部２は、図１に示すように正面視において外形形状が略円錐台形状であり、内部は大きく空洞になっている（図３参照）。即ち、前記ポンプ部２は、中空部材からなる。前記ポンプ部２の略円錐台形状の短い方の底辺側に連通用開口部２１が設けられている（図３参照）。前記ポンプ部２の周側壁の内面における連通用開口部２１側に係合用突条部２２が内方に向けて突設されている（図３参照）。前記係合用突条部２２は、ポンプ部２の周側壁の周方向に沿って延びている。また、前記ポンプ部２の周側壁の内周面における連通用開口部２１の近傍領域に係合用凹部２３が形成されている。前記係合用凹部２３は、ポンプ部２の周側壁の周方向に沿って延びている（図３参照）。
【００２６】
前記ポンプ部２は、軟質材料等で形成されており、可撓性を有しているのが好ましい。この場合には、このポンプ部２の側壁を両側から指でつかんで（挟んで）対向する側壁同士が接する状態になるまで押し込むことができると共に、指によるポンプ部の押し込み状態を解除すると、ポンプ部２は図１、２に示す元の形状に自然に戻る。前記ポンプ部２を構成する材料としては、前述したとおりの指での押し込みを可能ならしめると共に、該押し込みの解除により元の形状に自然に戻ることを可能ならしめる材料が好ましく、例えば、軟質塩化ビニル樹脂、熱可塑性エラストマー、ゴム等の軟質材料を挙げることができる。
【００２７】
なお、前記ポンプ部２の形状は、図１〜３に示した形状に特に限定されるものではなく、例えば、従来から公知の蛇腹タイプの形状を採用してもよい。また、上記実施形態では、ポンプ部２の側壁を両側から指でつかんで（挟んで）対向する側壁同士が接する状態になるまで押し込む操作を行うものであるが、前記ポンプ部２の形状を変更してポンプ部２の上壁及び下壁を両側から指でつかんで（挟んで）対向する上壁と下壁が接する状態になるまで押し込む操作を行うものであってもよい。
【００２８】
前記ジョイント部３は、第１接続管３１、第２接続管３２および第３接続管３３を備えた三方継手部を有している（図４、５参照）。本実施形態では、前記第３接続管３３は、前記第１接続管３１よりも直径（外径・内径共に）が大きく設計されている。しかして、前記第３接続管３３の一端面（下端面）に前記第１接続管３１が連通状態に接合されると共に、前記第３接続管３３の前記一端部側（下端部側）の外周壁における前記第１接続管３１の接合位置の近傍位置に前記第２接続管３２が（前記第３接続管３３に対し）連通状態に接合されて、前記ジョイント部３が形成されている（図４、５参照）。前記ジョイント部３において、第１接続管３１、第２接続管３２、第３接続管３３は、相互に連通状態にある（図５参照）。前記第１接続管３１における第３接続管３３側の端部の周方向の一部と、前記第２接続管３２における第３接続管３３側の端部の周方向の一部とが接合（連接）されている（図４参照）。
【００２９】
前記第１接続管３１の内周面に内方に突出するストッパー突部３０が設けられている（図５参照）。前記ストッパー突部３０は、前記第１接続管３１の内周面の周方向に沿って延びている。
【００３０】
前記第２接続管３２の外周面における先端開口部３８側に第２抜け止め用突条３５が突設され、該第２抜け止め用突条３５のさらに先端開口部３８側に第１抜け止め用突条３４が突設されている。前記第１抜け止め用突条３４および第２抜け止め用突条３５は、いずれも前記第２接続管３２の外周面の周方向に沿って延びている（図４参照）。
【００３１】
前記第３接続管３３の外周面における先端開口部３９側に第１係合用突条部３６が突設されている（図４、５参照）。この第１係合用突条部３６は、前記第３接続管３３の外周面の周方向に沿って延びている（図４参照）。また、前記第３接続管３３の外周面における軸線方向の中間部に第２係合用突条部３７が突設されている。この第２係合用突条部３７も、前記第３接続管３３の外周面の周方向に沿って延びている（図４参照）。
【００３２】
本実施形態では、前記ジョイント部３の第３接続管３３は、前記ポンプ部２の連通用開口部２１の内部に接続可能（嵌合可能）な大きさ（外径）に構成されている。前記ジョイント部３は、透明又は半透明であるのが好ましく、これによりジョイント部３の内部の汚れの有無等を確認することができる。
【００３３】
前記吸入管（吸液管）４は、直管に形成されているのが好ましい（図６参照）。また、前記吸入管４は、硬質材料で形成されていてもよいし、軟質材料等で形成されていてもよい。中でも、前記吸入管４は、硬質材料で形成されているのが好ましい。前記硬質材料としては、特に限定されるものではないが、例えば、硬質塩化ビニル樹脂、ポリエチレン、ポリプロピレン、ポリスチレン、ポリエチレンテレフタレート（ＰＥＴ）等が挙げられる。前記吸入管４は、透明又は半透明であるのが好ましく、これにより吸入管４の内部の汚れの有無等を確認することができる。前記吸入管４の内径は、５ｍｍ〜１０ｍｍに設定されるのが好ましい。５ｍｍ以上であることで吸水をスムーズに行うことができる。また、１０ｍｍ以下であることで、ポンプ部２の大きさ（容量）を必要以上に大きくしなければならない事態を回避できる。
【００３４】
前記排出管（排液管）５（図７参照）は、軟質材料で形成されているのが好ましい。前記軟質材料としては、特に限定されるものではないが、例えば、軟質塩化ビニル樹脂、熱可塑性エラストマー、ゴム等が挙げられる。前記排出管５は、軟質材料で形成されていて可撓性を有しているのが好ましい。前記排出管５は、透明又は半透明であるのが好ましく、これにより排出管５の内部の汚れの有無等を確認することができる。前記排出管５の内径は、５ｍｍ〜２０ｍｍに設定されるのが好ましい。５ｍｍ以上であることで吸水管４を介して吸い上げた水が、ジョイント部３においてより容易に排出管５内に流れ込み易くなる。従って、小さい起動力で吸水および排水することができるので、小型のポンプ部２でも十分に吸水・排水が対応可能となる。また、２０ｍｍ以下とすることで、ポンプ部２の大きさ（容量）を必要以上に大きくしなければならない事態を回避できる。中でも、前記排出管５の内径は、１０ｍｍ〜１５ｍｍに設定されるのが特に好ましい。本実施形態では、前記排出管５は、前記ジョイント部３の第２接続管３２の外面に接続可能（外嵌可能）な大きさ（内径）に構成されている。
【００３５】
なお、本実施形態では、前記排出管５の先端の開口部に縮径用先端部材６が接続（内嵌）されている（図１参照）。前記縮径用先端部材６は、樹脂で形成されているのが好ましい。前記縮径用先端部材６は、管体を備え、該管体の一端側の開口部（排出口）６３の内径は、前記管体の他端側の開口部（接続側開口部）６４の内径よりも小さく設計されている（図９参照）。また、前記縮径用先端部材６の開口部（排出口）６３の内径は、前記排出管５の内径よりも小さい。前記管体の外周面における接続側開口部６４側に第２抜け止め用突条６２が突設され、該第２抜け止め用突条６２のさらに接続側開口部６４側に第１抜け止め用突条６１が突設されている。前記第１抜け止め用突条６１及び第２抜け止め用突条６２は、いずれも前記縮径用先端部材６の外周面の周方向に沿って延びている（図８参照）。このような縮径用先端部材６が前記排出管５の先端の開口部に接続された構成であることにより、排出管５の先端部の排出口６３の内径は、前記排出管５の長さ方向の中間部の内径よりも小さい構成（図１参照）になっている。なお、前記縮径用先端部材６は、排出管の一部を構成している。
【００３６】
前記排出口６３の内径は、吸入口４１の内径と同等又は該内径より小さく設計するのが好ましい。この場合には、水等の液体の安定した連続的排出を確実に実現できる。
【００３７】
しかして、前記ジョイント部３の第１接続管３１に前記吸入管４の一端部が接続され、前記ジョイント部３の第２接続管３２に前記排出管５の一端部が接続され、前記ポンプ部２の連通用開口部２１に前記ジョイント部３の第３接続管３３の一端部が接続されて、サイフォンポンプ１が構成される（図１、２参照）。
【００３８】
上記サイフォンポンプ１における前記ジョイント部３に対する各部材（ポンプ部２、吸入管４、排出管５）の接続構造（連結構造）を図２に示す。
【００３９】
前記ジョイント部３の第３接続管３３を前記ポンプ部２の連通用開口部２１の内部に挿通していくことによって、前記ジョイント部３の第３接続管３３の先端部に、ポンプ部２の連通用開口部２１側の端部が外嵌される。この時、図２に示すように、第３接続管３３の突条部３７が、ポンプ部２の係合用凹部２３に嵌まり込んで受容されると共に、第３接続管３３の先端の係合用突条部３６と、ポンプ部２の内面の係合用突条部２２とが係合するので、前記ジョイント部３の第３接続管３３と、ポンプ部２との接続状態（図２に示す連結固定位置）が安定して維持され得る（ジョイント部３からのポンプ部２の脱落及び第３接続管３３のポンプ部２の内部への更なる進入移動を効果的に防止できる）し、第３接続管３３とポンプ部２との接続状態の密封性を高めることができる。
【００４０】
前記吸入管４の一端部を前記第１接続管３１の内部に挿入することによって、前記ジョイント部３の第１接続管３１が、前記吸入管４の一端部に外嵌される。この時、第１接続管３１の内周面に前記ストッパー突部３０が突設されているので、該ストッパー突部３０に前記吸入管４の一端が当接してこれ以上の挿通移動が阻止される（図２参照）。前記第１接続管３１及び前記吸入管４は、ともに硬質材料で形成されているので、互いに適合状態に嵌合され（図２参照）、従って前記ジョイント部３の第１接続管３１と、吸入管４との接続状態（連結状態）が安定して維持され得る（ジョイント部３からの吸入管４の脱落を効果的に防止できる）し、第１接続管３１と吸入管４との接続状態の密封性を高めることができる。
【００４１】
前記排出管５の一端部を前記第２接続管３２の外面に被覆するように手で押し込むことによって、前記ジョイント部３の第２接続管３２に前記排出管５の一端部が外嵌される。この時、前記排出管５が軟質材料で形成されているので、該排出管５の一端部が拡径（膨張）しつつ第２接続管３２に外嵌される（図２参照）。前記第２接続管３２の外周面の先端開口部３８側に第１抜け止め用突条３４および第２抜け止め用突条３５が突設されているので、前記ジョイント部３の第２接続管３２と、前記排出管５との接続状態（連結状態）が安定して維持され得る（ジョイント部３からの排出管５の脱落を効果的に防止できる）し、第２接続管３２と前記排出管５との接続状態の密封性を高めることができる。
【００４２】
本発明のサイフォンポンプ１は、逆止弁等の弁を備えていない。即ち、上記実施形態のサイフォンポンプ１は、ポンプ部２、ジョイント部３、吸入管４、排出管５（縮径用先端部材６を含めて）のいずれも弁を備えていない構成である。
【００４３】
そして、本発明のサイフォンポンプ１では、ポンプ部２を定常状態（ポンプ部２に外力を加えていない状態；図１参照）から、ポンプ部２を両側から指で挟んで対向する側壁が接する状態になるまで一押し（ワンプッシュ）した状態にした際のポンプ部２の内容量の変化量Ｗが、
Ｗ＝（ポンプ部の定常状態での内容量）−（ポンプ部を一押しした状態のポンプ
部の内容量）
相互に接続された状態の第１接続管３１および吸入管４で形成される吸入側管部７の内容量と、相互に接続された状態の第２接続管３２および排出管５で形成される排出側管部８の内容量との合計値よりも大きくなるように構成されているから（図１参照）、ポンプ部２を一押しして戻すだけでサイフォンの原理により吸入管４から連続的に水等の液体を吸入して排出管５から連続的に水等の液体を排出することができる。
【００４４】
中でも、前記変化量Ｗは、前記第３接続管３３の内容量の２分の１、前記吸入側管部７の内容量および前記排出側管部８の内容量の合計値よりも大きくなるように構成されているのが好ましい。この場合には、ポンプ部２を一押しして戻すことにより、吸入管４から連続的に水等の液体を吸入して排出管５から連続的に水等の液体を排出することを確実に実現できる。例えば、ポンプ部２を一押しする押し込み程度が多少不十分であった場合でも、吸入管４から連続的に水等の液体を吸入して排出管５から連続的に水等の液体を排出することを確実に実現できる。
【００４５】
さらに、前記変化量Ｗは、前記第３接続管３３の内容量、前記吸入側管部７の内容量および前記排出側管部８の内容量の合計値よりも大きくなるように構成されているのが特に好ましい。
【００４６】
なお、前記「排出側管部８の内容量」は、排出管５の先端の開口部に縮径用先端部材６が接続された構成である場合には、「接続された状態の第２接続管３２、排出管５および縮径用先端部材６で形成される排出側管部８の内容量」を意味する。
【００４７】
上述した「ポンプ部２を両側から指で挟んで対向する側壁が接する状態になるまで一押しした状態」とは、図１０、１１に示すように、ポンプ部２における対向する側壁のうちの一方の側壁に親指を当て、他方の側壁に残りの４本の指を添えた状態で対向する側壁が接する状態になるまで一回押し込むことを意味するものである。
【００４８】
なお、前記ポンプ部２の内容量の変化量Ｗは、定常状態（ポンプ部２に外力を加えていない状態）のポンプ部２に対して指で一押し（ワンプッシュ）した際に連通用開口部２１から外部に放出される空気量（体積）と同一である。
【００４９】
本発明において、第１接続管３１と吸入管４の接続態様（連結態様）、第２接続管３２と排出管５の接続態様（連結態様）、ポンプ部２と第３接続管３３の接続態様（連結態様）は、上記実施形態での構成に特に限定されるものではなく、その他の接続態様（連結態様）を採用することもできる。
【００５０】
次に、本発明に係るサイフォンポンプ１の使用方法の一例を図１０を参照しつつ説明する。
【００５１】
まず、排出管５の先端の排出口６３を排水用容器９２の直上位置又は排水用容器９２内に位置せしめ、この排出口６３を指で押さえて排出口６３を塞いだ状態で、ポンプ部２を前後両側から指でつかんで（挟んで）対向する側壁が接する状態になるまで押し込み（ポンプ部２を凹ませ）、この状態で吸入管４の先端の吸入口４１を水槽９１内の水中に配置せしめた後、指によるポンプ部２の押し込み状態を解除する（ポンプ部２を図１に示す元の形状に戻す）（図１０参照）。そうすると、吸入管４の先端の吸入口４１から水が吸い上げられて吸入管４、ジョイント部３および排出管５が水で満たされていくので、このように水で満たされた状態になった後に、排出口６３を押さえていた指を離して排出口６３を開放すると、この後はサイフォンの原理により水槽９１内の水が、自動的に吸入管４、ジョイント部３、排出管５を通過して排出口６３から排出されて、排水用容器９２内に流入して貯留される。なお、ポンプ部２の押し込み状態を解除することで水槽内の水が吸い上げられた際に、前記ジョイント部３についてはその少なくとも一部が水で満たされた状態になっていれば、サイフォンの原理が働くものとなる。上記操作手順はその一例を示したものに過ぎず、他の手順でも可能である。
【００５２】
次に、本発明に係るサイフォンポンプ１の使用方法の他の例を図１１を参照しつつ説明する。
【００５３】
まず、ペットボトルやプラスチックケース等の排水用容器９２内に水を少量入れておく。この排水用容器９２内の水中に排出管５の先端の排出口６３を配置せしめる（図１１参照）。ポンプ部２を前後両側から指でつかんで（挟んで）対向する側壁が接する状態になるまで押し込み（ポンプ部２を凹ませ）、この状態で吸入管４の先端の吸入口４１を水槽９１内の水中に配置せしめた後、指によるポンプ部２の押し込み状態を解除する（ポンプ部２を図１に示す元の形状に戻す）（図１１参照）。そうすると、吸入管４の先端の吸入口４１から水槽内の水が吸い上げられて吸入管４が水で満たされていくと共に、排出管５の先端の排出口６３からも水が吸い上げられて排出管５が水で満たされていき、さらにジョイント部３も水で満たされていくので、このように水で満たされた状態になった時に、サイフォンの原理によって、水槽９１内の水が、自動的に吸入管４、ジョイント部３、排出管５を通過して排出口６３から排出されて、排水用容器９２内に流入して貯留される。なお、ポンプ部２の押し込み状態を解除することで水槽内の水が吸い上げられた際に、前記ジョイント部３についてはその少なくとも一部が水で満たされた状態になっていれば、サイフォンの原理が働くものとなる。上記操作手順はその一例を示したものに過ぎず、他の手順でも可能である。
【００５４】
上記例示した２つの使用方法において、サイフォンポンプ１を用いた排水中に排水を停止させたい時は、吸入管４を水槽９１内の水中から取り出せばよい（吸入口４１を水面から引き上げればよい）。これにより、排水を停止させることができる。
【００５５】
上述した２つの使用方法において、排出管５の先端の排出口６３の位置（高さ）を、水槽９１内の水位よりも低い位置にする必要がある。このような配置関係にしないと、サイフォンの原理が働かず、自動的な排水を開始させることができない。このような点を踏まえ、上記２つの使用方法において、排水用容器９２は、水槽９１よりも低い位置に置くのが好ましい（図１０、１１参照）。
【００５６】
上記２つの使用方法において、サイフォンポンプ１の排出管５の排出口６３からの排水速度は、水槽９１内の水位と、排水用容器９２内の水位の差（両者の水位の高さの差）によって変化する。このような関係を利用して所望の排水速度に調整することも可能である。
【産業上の利用可能性】
【００５７】
本発明に係るサイフォンポンプは、観賞魚用水槽等の水槽内の水を取り出すとき、水槽内に新たな水を入れるとき等に使用されるが、特にこのような用途に限定されるものではない。また、本発明のサイフォンポンプは、水用に限定されるものではなく、例えば灯油等の各種液体用ポンプとしても利用できる。
【符号の説明】
【００５８】
１…サイフォンポンプ
２…ポンプ部
３…ジョイント部（三方継手部）
４…吸入管
５…排出管
６…縮径用先端部材
７…吸入側管部
８…排出側管部
２１…連通用開口部
３１…第１接続管
３２…第２接続管
３３…第３接続管
６３…排出口
【図１】
0006498137.tif 000002
【図２】
0006498137.tif 000003
【図３】
0006498137.tif 000004
【図４】
0006498137.tif 000005
【図５】
0006498137.tif 000006
【図６】
0006498137.tif 000007
【図７】
0006498137.tif 000008
【図８】
0006498137.tif 000009
【図９】
0006498137.tif 000010
【図１０】
0006498137.tif 000011
【図１１】
0006498137.tif 000012